(57)【要約】【課題】限られた周波数領域で多くのチャンネル数を確保可能とし、かつ、他チャンネルとの干渉が少ない無線装置における周波数分割方法及び無線装置を提供する事を目的とする。【解決手段】無線装置における周波数分割方法において、隣接するチャンネルの領域を、各チャンネルの占有帯域幅が重なり合うように配置し、周波数が高い側のチャンネルを復調する際には、周波数が高い側のチャンネルの変調周波数以上の周波数での復調、周波数が低い側のチャンネルを復調する際には、周波数が低い側のチャンネルの変調周波数以下の周波数での復調、のいずれか片方もしくは両方で復調する事を特徴とする無線装置における周波数分割方法とする。【選択図】      図２
2004214955.tif 000002
【特許請求の範囲】
【請求項１】
無線装置における周波数分割方法において、
隣接するチャンネルの領域を、各チャンネルの占有帯域幅が重なり合うように配置し、周波数が高い側のチャンネルを復調する際には、周波数が高い側のチャンネルの変調周波数以上の周波数での復調、周波数が低い側のチャンネルを復調する際には、周波数が低い側のチャンネルの変調周波数以下の周波数での復調、のいずれか片方もしくは両方で復調する事を特徴とする無線装置における周波数分割方法。
【請求項２】
無線装置における周波数分割方法において、
隣接するチャンネルの領域を、各チャンネルの占有帯域幅が重なり合うように配置し、周波数が高い側のチャンネルを復調する際には、周波数が低い側のチャンネルの変調周波数と同じ周波数での復調、周波数が低い側のチャンネルを復調する際には、周波数が高い側のチャンネルの変調周波数と同じ周波数での復調、のいずれか片方もしくは両方で復調する事を特徴とする無線装置における周波数分割方法。
【請求項３】
請求項１記載の無線装置における周波数分割方法と、請求項２記載の無線装置における周波数分割方法とを組み合わせた事を特徴とする無線装置における周波数分割方法。
【請求項４】
無線装置において、
隣接するチャンネルの領域を、各チャンネルの占有帯域幅が重なり合うように配置し、周波数が高い側のチャンネルを復調する際には、周波数が高い側のチャンネルの変調周波数以上の周波数での復調、周波数が低い側のチャンネルを復調する際には、周波数が低い側のチャンネルの変調周波数以下の周波数での復調、のいずれか片方もしくは両方で復調する事を特徴とする無線装置。
【請求項５】
無線装置において、
隣接するチャンネルの領域を、各チャンネルの占有帯域幅が重なり合うように配置し、周波数が高い側のチャンネルを復調する際には、周波数が低い側のチャンネルの変調周波数と同じ周波数での復調、周波数が低い側のチャンネルを復調する際には、周波数が高い側のチャンネルの変調周波数と同じ周波数での復調、のいずれか片方もしくは両方で復調する事を特徴とする無線装置。
【請求項６】
請求項１記載の無線装置と、請求項２記載の無線装置とを組み合わせた事を特徴とする無線装置。
【発明の詳細な説明】
【０００１】
【発明の属する技術分野】
本発明は、無線装置における周波数分割方法及び無線装置に関するものである。
【０００２】
【従来の技術】
無線装置では、無線機の種類、通信方式により、ある限られた周波数領域（使用周波数帯）においてのみ使用が許可されている。複数の無線機を使用可能にするべく、ある限られた周波数領域を複数の領域に分割して使用する方法（ＦＤＭ：周波数分割多重方式）が用いられる。（各領域をチャンネルと称する。）
【０００３】
周波数分割多重方式においては、隣接するチャンネルとの干渉を受けなくする必要性から、隣接するチャンネルは各チャンネルが使用する周波数領域（占有帯域幅）が重ならないように配置する必要がある。
【０００４】
図１は従来の周波数分割多重方式によるチャンネル分割例を示す図である。図１からわかる通り、チャンネル１領域１１とチャンネル２領域１２、チャンネル２領域１２とチャンネル３領域１３、チャンネル３領域１３とチャンネル４領域１４は各占有帯域幅が重ならないように配置されている。各チャンネル領域間は０以上（２００ＭＨｚ程度の変復調において５ＭＨｚ程度）の隙間を必要とする。
【０００５】
また、同一周波数帯に複数のチャンネルを設定するとき、その全体の周波数帯域が１つのチャンネルの占有帯域幅に設定エリア（領域）数を乗じて得られる広い周波数を必要とせず、かつ近隣のエリアからの妨害の影響を受けにくい無線通信エリア分割方法及び無線通信システムを提供する事を目的とした特開平１０−２８５６４５が開示されてる。
【０００６】
【発明が解決しようとする課題】
図１に示す従来の周波数分割方式では、チャンネル数はチャンネルの占有帯域幅により制限される。言い換えれば、所定のチャンネル数を確保しようとした場合、チャンネル数に各チャンネルの占有帯域幅を乗じた使用周波数帯が必要となる。図１にに示す従来の周波数分割方式で具体的な数値を上げて説明すると、２００ＭＨｚ程度の変復調において、各チャンネルの占有帯域幅が２０ＭＨｚだとすると、２チャンネル分の領域を確保するためには２０ＭＨｚ×２＋５ＭＨｚ＝４５ＭＨｚ以上、４チャンネル分の領域を確保するためには２０ＭＨｚ×４＋５ＭＨｚ×３＝９５ＭＨｚ以上、６チャンネル分の領域を確保するためには２０ＭＨｚ×６＋５ＭＨｚ×５＝１４５ＭＨｚ以上の使用周波数帯が必要となる。
【０００７】
また、特開平１０−２８５６４５では、近隣のエリアからの妨害の影響は受けにくいものの、他のチャンネルとの干渉が生じる場合がある。
【０００８】
本発明は、上記問題点を鑑み、限られた周波数領域で多くのチャンネル数を確保可能とし、かつ、他チャンネルとの干渉が少ない無線装置における周波数分割方法及び無線装置を提供する事を目的としている。
【０００９】
【課題を解決するための手段】
無線装置における周波数分割方法において、
隣接するチャンネルの領域を、各チャンネルの占有帯域幅が重なり合うように配置し、周波数が高い側のチャンネルを復調する際には、周波数が高い側のチャンネルの変調周波数以上の周波数での復調、周波数が低い側のチャンネルを復調する際には、周波数が低い側のチャンネルの変調周波数以下の周波数での復調、のいずれか片方もしくは両方で復調する事を特徴とする無線装置における周波数分割方法とする。
【００１０】
無線装置における周波数分割方法において、
隣接するチャンネルの領域を、各チャンネルの占有帯域幅が重なり合うように配置し、周波数が高い側のチャンネルを復調する際には、周波数が低い側のチャンネルの変調周波数と同じ周波数での復調、周波数が低い側のチャンネルを復調する際には、周波数が高い側のチャンネルの変調周波数と同じ周波数での復調、のいずれか片方もしくは両方で復調する事を特徴とする無線装置における周波数分割方法とする。
【００１１】
無線装置における周波数分割方法において、
隣接するチャンネルの領域を、各チャンネルの占有帯域幅が重なり合うように配置し、周波数が高い側のチャンネルを復調する際には、周波数が高い側のチャンネルの変調周波数以上の周波数での復調、周波数が低い側のチャンネルを復調する際には、周波数が低い側のチャンネルの変調周波数以下の周波数での復調、のいずれか片方もしくは両方で復調する無線装置における周波数分割方法と、
隣接するチャンネルの領域を、各チャンネルの占有帯域幅が重なり合うように配置し、周波数が高い側のチャンネルを復調する際には、周波数が低い側のチャンネルの変調周波数と同じ周波数での復調、周波数が低い側のチャンネルを復調する際には、周波数が高い側のチャンネルの変調周波数と同じ周波数での復調、のいずれか片方もしくは両方で復調する無線装置における周波数分割方法とを、
組み合わせた事を特徴とする無線装置における周波数分割方法とする。
【００１２】
無線装置において、
隣接するチャンネルの領域を、各チャンネルの占有帯域幅が重なり合うように配置し、周波数が高い側のチャンネルを復調する際には、周波数が高い側のチャンネルの変調周波数以上の周波数での復調、周波数が低い側のチャンネルを復調する際には、周波数が低い側のチャンネルの変調周波数以下の周波数での復調、のいずれか片方もしくは両方で復調する事を特徴とする無線装置とする。
【００１３】
無線装置において、
隣接するチャンネルの領域を、各チャンネルの占有帯域幅が重なり合うように配置し、周波数が高い側のチャンネルを復調する際には、周波数が低い側のチャンネルの変調周波数と同じ周波数での復調、周波数が低い側のチャンネルを復調する際には、周波数が高い側のチャンネルの変調周波数と同じ周波数での復調、のいずれか片方もしくは両方で復調する事を特徴とする無線装置とする。
【００１４】
無線装置において、
隣接するチャンネルの領域を、各チャンネルの占有帯域幅が重なり合うように配置し、周波数が高い側のチャンネルを復調する際には、周波数が高い側のチャンネルの変調周波数以上の周波数での復調、周波数が低い側のチャンネルを復調する際には、周波数が低い側のチャンネルの変調周波数以下の周波数での復調、のいずれか片方もしくは両方で復調する無線装置と、
隣接するチャンネルの領域を、各チャンネルの占有帯域幅が重なり合うように配置し、周波数が高い側のチャンネルを復調する際には、周波数が低い側のチャンネルの変調周波数と同じ周波数での復調、周波数が低い側のチャンネルを復調する際には、周波数が高い側のチャンネルの変調周波数と同じ周波数での復調、のいずれか片方もしくは両方で復調する無線装置とを、
組み合わせた事を特徴とする無線装置とする。
【００１５】
【発明の実施の形態】
図２は本発明の第一実施形態である無線装置における周波数分割方法及び無線装置の周波数分割を示す図である。チャンネル数が２つ（ＣＨ１、ＣＨ２）の場合の周波数分割である。
【００１６】
図３は本発明の第一実施形態である無線装置における周波数分割方法及び無線装置の復調部ブロック図である。信号入力３１、帯域通過フィルタ３２、復調部３３、反転部３４、信号出力３８、復調基準周波数発生部３５、制御部３６、ＣＨ情報入力３７より構成されている。
【００１７】
以下、図２及び図３を用い、具体的な数値を例にし説明する。
【００１８】
ＣＨ１、ＣＨ２共に占有帯域幅は２０ＭＨｚであり、ＣＨ１は２００ＭＨｚ（ＣＨ１変調周波数２３）、ＣＨ２は２１５ＭＨｚ（ＣＨ２変調周波数２４）でＰＳＫ変調されている。従って、ＣＨ１はＣＨ１領域２１（１９０〜２１０ＭＨｚ）、ＣＨ２はＣＨ２領域２２（２０５〜２２５ＭＨｚ）を使用している。この際の使用周波数領域は３５ＭＨｚである。
【００１９】
一方、復調側は、ＣＨ情報入力３７からのＣＨ情報に基づき、制御部３６が帯域通過フィルタ３２の中心周波数、復調基準周波数発生部３５の周波数、反転部３４の動作を制御する。すなわち、ＣＨ情報入力３７からのＣＨ情報がＣＨ１である場合、帯域通過フィルタ３２の中心周波数１９５ＭＨｚ、復調基準周波数発生部３５の周波数１９５ＭＨｚ、反転部３４の動作は反転に、ＣＨ情報入力３７からのＣＨ情報がＣＨ２である場合、帯域通過フィルタ３２の中心周波数２２０ＭＨｚ、復調基準周波数発生部３５の周波数２２０ＭＨｚ、反転部３４の動作は非反転にする。なお、帯域通過フィルタ３２の帯域幅は、ＣＨ情報入力３７からのＣＨ情報にかかわらず１０ＭＨｚ、すなわち中心周波数±５ＭＨｚと固定である。
【００２０】
変調された信号は信号入力３１より入力され、帯域通過フィルタ３２を通過し、復調部３３に入力される。ＣＨ情報入力３７からのＣＨ情報がＣＨ１であった場合、帯域通過フィルタ３２は１９５ＭＨｚ±５ＭＨｚであるため、１９０〜２００ＭＨｚの周波数帯域を通過させる。すなわち、ＣＨ１領域２１の下側半分を通過させる事となる。同様に、ＣＨ情報入力３７からのＣＨ情報がＣＨ２であった場合、帯域通過フィルタ３２は２２０ＭＨｚ±５ＭＨｚであるため、２１５〜２２５ＭＨｚの周波数帯域、すなわち、ＣＨ２領域２２の上側半分を通過させる。
【００２１】
上記数値からもわかる通り、ＣＨ情報入力３７からのＣＨ情報がＣＨ１であった場合、帯域通過フィルタ３２は１９０〜２００ＭＨｚの周波数帯域のみを通過させるため、ＣＨ２領域２２（２０５〜２２５ＭＨｚ）の周波数帯域は通過しない。同様に、ＣＨ情報入力３７からのＣＨ情報がＣＨ２であった場合、帯域通過フィルタ３２は２１５〜２２５ＭＨｚの周波数帯域のみを通過させるため、ＣＨ１領域２１（１９０〜２１０ＭＨｚ）の周波数帯域は通過しない。
【００２２】
ここで、ＰＳＫ変調の場合、変調信号は変調周波数に対し、周波数的に左右対称に分布する。変調信号は２つの周波数成分、すなわち、変調周波数より高い周波数成分と、変調周波数より低い周波数成分を有し、両者共に変復調されるべき信号を含んでいる。従って、領域の上側半分、もしくは下側半分のみでも復調はできる。
【００２３】
復調部３３では、入力された信号を復調基準周波数発生部３５からの周波数により復調をする。ＣＨ情報入力３７からのＣＨ情報がＣＨ１であった場合には１９５ＭＨｚ（ＣＨ１復調周波数２５）で、ＣＨ情報入力３７からのＣＨ情報がＣＨ２であった場合には２２０ＭＨｚ（ＣＨ２復調周波数２６）で復調される。復調された信号は反転部３４に入力される。
【００２４】
ＰＳＫ復調の場合、領域の上側半分を使用した場合には、変調前の信号と同じ信号が得られるが、領域の下側半分を使用した場合には、変調前の信号とは電圧的に反転して復調される。よって、反転部３４では、ＣＨ情報入力３７からのＣＨ情報に基づき、領域の下側半分を使用した場合には信号を電圧的に反転し信号出力３８に出力する。前記の通りＣＨ情報入力３７からのＣＨ情報がＣＨ１である場合、反転部３４の動作は反転に、ＣＨ情報入力３７からのＣＨ情報がＣＨ２である場合、反転部３４の動作は非反転である。
【００２５】
このようにして、各チャンネルの占有帯域幅が重なりあっている場合でも、干渉せずに変復調が行える。すなわち、より狭い周波数領域でチャンネルの確保が、干渉を少なくして実現可能である。チャンネル数が多くなった場合、上記周波数分割方法を繰り返せばよい。チャンネル数が多くなった場合の使用周波数領域は、４チャンネル時は３５ＭＨｚ×２＋５ＭＨｚ＝７５ＭＨｚ、６チャンネル時は３５ＭＨｚ×３＋５ＭＨｚ×２＝１１５ＭＨｚとなる。
【００２６】
図４は本発明の第二実施形態である無線装置における周波数分割方法及び無線装置の復調部ブロック図である。信号入力４１、周波数ダウンコンバータ４９、帯域通過フィルタ４２、復調部４３、反転部４４、信号出力４８、ローカル発振部４５、制御部４６、ＣＨ情報入力４７より構成されている。
【００２７】
信号入力４１より入力される信号は、本発明の第一実施形態と同じく、図２で示される周波数分割である。入力された信号は周波数ダウンコンバータ４９に入力される。
【００２８】
ここで、周波数ダウンコンバータ４９の動作を説明する。周波数ダウンコンバータ４９は入力された２つの信号の乗算を行い、結果を選択し出力する。入力される信号の周波数が各々ｆ１、ｆ２であった場合、信号は各々ｓｉｎ（２πｆ１）、ｓｉｎ（２πｆ２）であり、乗算結果はｓｉｎ（２πｆ１）×ｓｉｎ（２πｆ２）＝１／２×ｃｏｓ｛２π（ｆ１−ｆ２）｝−１／２×ｃｏｓ｛２π（ｆ１＋ｆ２）｝となる。上記からわかる通り、乗算結果は、入力された２つの信号の周波数差（ｆ１−ｆ２）と周波数和（ｆ１＋ｆ２）との両方の周波数を持つ信号となり、入力された信号が周波数変換される事となる。さらに、周波数ダウンコンバータ４９は、周波数変換後の周波数差（ｆ１−ｆ２）と周波数和（ｆ１＋ｆ２）のうち、周波数差（ｆ１−ｆ２）のみを選択し出力する。
【００２９】
従って、周波数ダウンコンバータ４９は入力された信号の周波数とローカル発振部４５からの周波数との周波数差をとり、言い換えればローカル発振部４５からの周波数により入力された信号を周波数変換し出力する。ローカル発振部４５は制御部４６から発振周波数を制御される。制御部４６は、ＣＨ情報入力４７からのＣＨ情報により、ローカル発振部４５の発振周波数を決める。すなわち、ＣＨ情報入力４７からのＣＨ情報がＣＨ１の場合、ローカル発振部４５からの発振周波数を９５ＭＨｚとし、信号入力４１からの信号を９５ＭＨｚで周波数変換する。ＣＨ情報入力４７からのＣＨ情報がＣＨ２の場合、ローカル発振部４５からの発振周波数を１２０ＭＨｚとし、信号入力４１からの信号を１２０ＭＨｚで周波数変換する。
【００３０】
ここで、周波数ダウンコンバータ４９により周波数変換された後の周波数領域を説明する。ＣＨ１の信号が入力された場合で、かつＣＨ情報入力４７からのＣＨ情報がＣＨ１であった場合、９５ＭＨｚで周波数変換されるため周波数領域は９５〜１１５ＭＨｚとなる。ＣＨ１の信号が入力された場合で、かつＣＨ情報入力４７からのＣＨ情報がＣＨ２であった場合、１２０ＭＨｚで周波数変換されるため周波数領域は７０〜９０ＭＨｚとなる。ＣＨ２の信号が入力された場合で、かつＣＨ情報入力４７からのＣＨ情報がＣＨ１であった場合、９５ＭＨｚで周波数変換されるため周波数領域は１１０〜１３０ＭＨｚとなる。ＣＨ２の信号が入力された場合で、かつＣＨ情報入力４７からのＣＨ情報がＣＨ２であった場合、１２０ＭＨｚで周波数変換されるため周波数領域は８５〜１０５ＭＨｚとなる。
【００３１】
周波数変換された信号は帯域通過フィルタ４２に入力される。帯域通過フィルタ４２は中心周波数１００ＭＨｚ、帯域幅１０ＭＨｚ、すなわち中心周波数±５ＭＨｚに固定されている。よって、帯域通過フィルタ４２からの出力は、ＣＨ情報入力４７からのＣＨ情報がＣＨ１であった場合、ＣＨ１領域２１の下側半分（１９０〜２００ＭＨｚ）、ＣＨ情報入力４７からのＣＨ情報がＣＨ２であった場合、ＣＨ２領域２２の上側半分（２１５〜２２５ＭＨｚ）のみを通過させた事となる。
【００３２】
帯域通過フィルタ４２からの信号は復調部４３に入力され復調される。復調部４３の復調基準周波数は１００ＭＨｚ固定である。
【００３３】
上記により、第一実施形態と同様にＣＨ１はＣＨ１領域２１の下側半分、ＣＨ２はＣＨ２領域の上側半分を用いた復調が完了する事となる。
【００３４】
復調された信号は、第一実施形態と同様に反転部４４に入力され、ＣＨ情報入力４７のＣＨ情報に基づく制御部４６の制御により、反転もしくは非反転され信号出力４８から出力される。
【００３５】
このようにして、各チャンネルの占有帯域幅が重なりあっている場合でも、干渉せずに変復調が行える。すなわち、より狭い周波数領域でチャンネルの確保が、干渉を少なくして実現可能である。チャンネル数が多くなった場合、上記周波数分割方法を繰り返せばよい。チャンネル数が多くなった場合の使用周波数領域は、第一実施形態と同様に４チャンネル時７５ＭＨｚ、６チャンネル時１１５ＭＨｚとなる。
【００３６】
図５は本発明の第三実施形態である無線装置における周波数分割方法及び無線装置の周波数分割を示す図である。チャンネル数が２つ（ＣＨ１、ＣＨ２）の場合の周波数分割である。
【００３７】
復調は図３（第一実施形態である無線装置における周波数分割方法及び無線装置の復調部ブロック図）でも、図４（第二実施形態である無線装置における周波数分割方法及び無線装置の復調部ブロック図）でも可能であるが図３を用い、図５と共に具体的な数値を例にし説明する。
【００３８】
ＣＨ１、ＣＨ２共に占有帯域幅は２０ＭＨｚであり、ＣＨ１は２００ＭＨｚ（ＣＨ１変調周波数５３）、ＣＨ２は２１０ＭＨｚ（ＣＨ２変調周波数５４）でＰＳＫ変調されている。従って、ＣＨ１はＣＨ１領域５１（１９０〜２１０ＭＨｚ）、ＣＨ２はＣＨ２領域５２（２００〜２２０ＭＨｚ）を使用している。この際の使用周波数領域は３０ＭＨｚである。
【００３９】
復調側は、第一実施形態と同様、ＣＨ情報入力３７からのＣＨ情報に基づき、制御部３６が帯域通過フィルタ３２の中心周波数、復調基準周波数発生部３５の周波数、反転部３４の動作を制御する。すなわち、ＣＨ情報入力３７からのＣＨ情報がＣＨ１である場合、帯域通過フィルタ３２の中心周波数２１０ＭＨｚ、復調基準周波数発生部３５の周波数２１０ＭＨｚ、反転部３４の動作は非反転に、ＣＨ情報入力３７からのＣＨ情報がＣＨ２である場合、帯域通過フィルタ３２の中心周波数２００ＭＨｚ、復調基準周波数発生部３５の周波数２００ＭＨｚ、反転部３４の動作は反転にする。なお、帯域通過フィルタ３２の帯域幅は、ＣＨ情報入力３７からのＣＨ情報にかかわらず２０ＭＨｚ、すなわち中心周波数±１０ＭＨｚと固定である。
【００４０】
変調された信号は信号入力３１より入力され、帯域通過フィルタ３２を通過し、復調部３３に入力される。ＣＨ情報入力３７からのＣＨ情報がＣＨ１であった場合、帯域通過フィルタ３２は２１０ＭＨｚ±１０ＭＨｚであるため、２００〜２２０ＭＨｚの周波数帯域を通過させる。すなわち、ＣＨ１領域５１の上側半分とＣＨ２領域５２すべてを通過させる事となる。同様に、ＣＨ情報入力３７からのＣＨ情報がＣＨ２であった場合、帯域通過フィルタ３２は２００ＭＨｚ±１０ＭＨｚであるため、１９０〜２１０ＭＨｚの周波数帯域、すなわち、ＣＨ２領域５２の下側半分とＣＨ１領域５１すべてを通過させる。
【００４１】
前述の通り、ＰＳＫ変調の場合、変調信号は変調周波数に対し、周波数的に左右対称に分布する。変調信号は２つの周波数成分、すなわち、変調周波数より高い周波数成分と、変調周波数より低い周波数成分を有し、両者共に変復調されるべき信号を含んでいる。従って、領域の上側半分、もしくは下側半分のみでも復調はできる。さらに、変調信号は２つの周波数成分含み、かつ変調周波数より高い周波数成分を復調した場合は変調前の信号と同じ信号が得られ、変調周波数より低い周波数成分を復調したは変調前の信号とは電圧的に反転して復調されるため、変調周波数と同じ周波数で変調した場合、復調された信号は互いに相殺され出力は０となる。
【００４２】
復調部３３では、入力された信号を復調基準周波数発生部３５からの周波数により復調をする。ＣＨ情報入力３７からのＣＨ情報がＣＨ１であった場合には２１０ＭＨｚ（ＣＨ２変調周波数／ＣＨ１復調周波数５４）で、ＣＨ情報入力３７からのＣＨ情報がＣＨ２であった場合には２００ＭＨｚ（ＣＨ１変調周波数／ＣＨ２復調周波数５３）で復調される。
【００４３】
上記により、ＣＨ情報入力３７からのＣＨ情報がＣＨ１であった場合には、ＣＨ１領域５１の上側半分とＣＨ２領域５２の両方を復調、ＣＨ情報入力３７からのＣＨ情報がＣＨ２であった場合には、ＣＨ２領域５２の下側半分とＣＨ１領域５１の両方を復調した事となる。しかしながら、前述した通り、変調周波数と同じ周波数で変調した場合、復調された信号は互いに相殺され出力は０となるため、ＣＨ情報入力３７からのＣＨ情報がＣＨ１であった場合には、ＣＨ２領域５２の両方を復調した結果は０となりＣＨ１領域５１の上側半分のみの復調結果が、ＣＨ情報入力３７からのＣＨ情報がＣＨ２であった場合には、ＣＨ１領域５１の両方を復調した結果は０となりＣＨ２領域５２の下側半分のみの復調結果が出力される。
【００４４】
復調部３３で復調された信号は、第一実施形態と同様に反転部３４に入力され、ＣＨ情報入力３７のＣＨ情報に基づく制御部３６の制御により、反転もしくは非反転され信号出力３８から出力される。すなわち、前記の通りＣＨ情報入力３７からのＣＨ情報がＣＨ１である場合、反転部３４の動作は非反転に、ＣＨ情報入力３７からのＣＨ情報がＣＨ２である場合、反転部３４の動作は反転である。
【００４５】
このようにして、さらに狭い周波数領域でチャンネルの確保が、干渉を少なくして実現可能である。チャンネル数が多くなった場合、上記周波数分割方法を繰り返せばよい。チャンネル数が多くなった場合の使用周波数領域は、４チャンネル時は３０ＭＨｚ×２＋５ＭＨｚ＝６５ＭＨｚ、６チャンネル時は３０ＭＨｚ×３＋５ＭＨｚ×２＝１００ＭＨｚとなる。
【００４６】
図６は本発明の第四実施形態である無線装置における周波数分割方法及び無線装置の周波数分割を示す図である。チャンネル数が４つ（ＣＨ１、ＣＨ２、ＣＨ３、ＣＨ４）の場合の周波数分割である。
【００４７】
復調は図３（第一実施形態である無線装置における周波数分割方法及び無線装置の復調部ブロック図）でも、図４（第二実施形態である無線装置における周波数分割方法及び無線装置の復調部ブロック図）でも可能であるが図３を用い、図６と共に具体的な数値を例にし説明する。
【００４８】
ＣＨ１、ＣＨ２、ＣＨ３、ＣＨ４の占有帯域幅はいずれも２０ＭＨｚであり、ＣＨ１は２００ＭＨｚ（ＣＨ１変調周波数６５）、ＣＨ２は２１０ＭＨｚ（ＣＨ２変調周波数６６）、ＣＨ３は２２５ＭＨｚ（ＣＨ３変調周波数６７）、ＣＨ４は２３５ＭＨｚ（ＣＨ４変調周波数６８）でＰＳＫ変調されている。従って、ＣＨ１はＣＨ１領域６１（１９０〜２１０ＭＨｚ）、ＣＨ２はＣＨ２領域６２（２００〜２２０ＭＨｚ）、ＣＨ３はＣＨ３領域６３（２１５〜２３５ＭＨｚ）、ＣＨ４はＣＨ４領域６４（２２５〜２４５ＭＨｚ）を使用しているこの際の使用周波数領域は５５ＭＨｚである。
【００４９】
復調側は、第一実施形態及び第三実施形態と同様、ＣＨ情報入力３７からのＣＨ情報に基づき、制御部３６が帯域通過フィルタ３２の中心周波数、復調基準周波数発生部３５の周波数、反転部３４の動作を制御する。すなわち、帯域通過フィルタ３２の中心周波数及び復調基準周波数発生部３５の周波数は、ＣＨ情報入力３７からのＣＨ情報がＣＨ１である場合１９０ＭＨｚ（ＣＨ１復調周波数６９）、ＣＨ２である場合２００ＭＨｚ（ＣＨ１変調周波数／ＣＨ２復調周波数６５）、ＣＨ３である場合２３５ＭＨｚ（ＣＨ４変調周波数／ＣＨ３復調周波数６８）、ＣＨ４である場合２４５ＭＨｚ（ＣＨ４復調周波数７０）であり、反転部３４の動作ＣＨ情報は、入力３７からのＣＨ情報がＣＨ１である場合反転、ＣＨ２である場合反転、ＣＨ３である場合非反転、ＣＨ４である場合非反転である。なお、帯域通過フィルタ３２の帯域幅は、ＣＨ情報入力３７からのＣＨ情報にかかわらず２０ＭＨｚ、すなわち中心周波数±１０ＭＨｚと固定である。
【００５０】
従って、帯域通過フィルタ３２を通過し、復調部３３に入力される信号の周波数帯域は、ＣＨ情報入力３７からのＣＨ情報がＣＨ１の場合１８０〜２００ＭＨｚ、ＣＨ２の場合１９０〜２１０ＭＨｚ、ＣＨ３の場合２２５〜２４５ＭＨｚ、ＣＨ４の場合２３５〜２５５ＭＨｚとなる。
【００５１】
ここで、ＣＨ情報入力３７からの各ＣＨ情報における復調部３３に入力される信号は、ＣＨ１の場合、ＣＨ１領域６１の下側半分、ＣＨ２の場合、ＣＨ２領域６２の下側半分とＣＨ１領域６１全部、ＣＨ３の場合、ＣＨ３領域６３の上側半分とＣＨ４領域６４全部、ＣＨ４の場合、ＣＨ４領域６４の上側半分となる。
【００５２】
以上より、各ＣＨにおける動作は次の通りとなり、復調部３３より出力される。ＣＨ情報入力３７からのＣＨ情報がＣＨ１の場合は、ＣＨ１領域６１の下側半分を復調、ＣＨ２領域６２は復調部３３に入力されない（第一実施形態と同じ）。ＣＨ情報入力３７からのＣＨ情報がＣＨ２の場合は、ＣＨ２領域６２の下側半分を復調、ＣＨ１領域６１は復調されるが相殺（第三実施形態と同じ）、ＣＨ３領域６３は復調部３３に入力されない（第一実施形態と同じ）。ＣＨ情報入力３７からのＣＨ情報がＣＨ３の場合は、ＣＨ３領域６３の上側半分を復調、ＣＨ４領域６４は復調されるが相殺（第三実施形態と同じ）、ＣＨ２領域６２は復調部３３に入力されない（第一実施形態と同じ）。ＣＨ情報入力３７からのＣＨ情報がＣＨ４の場合は、ＣＨ４領域６４の上側半分を復調、ＣＨ３領域６３は復調部３３に入力されない（第一実施形態と同じ）。
【００５３】
復調部３３で復調された信号は、第一実施形態及び第三実施形態と同様に反転部３４にて、ＣＨ情報入力３７のＣＨ情報に基づく制御部３６の制御により、反転もしくは非反転され信号出力３８から出力される。すなわち、前記の通り反転部３４の動作は、ＣＨ情報入力３７からのＣＨ情報がＣＨ１及びＣＨ２である場合は反転、ＣＨ３及びＣＨ４の場合は非反転である。
【００５４】
このようにして、第一実施形態、第三実施形態を組み合わせる事により、さらに狭い周波数領域でチャンネルの確保が、干渉を少なくして実現可能である。
【００５５】
本実施形態での具体的な数値はあくまで例であり、使用周波数帯、占有帯域幅、フィルタの特性、復調部の特性等により、適宜周波数の分割、変調周波数、復調周波数を決めればよい。
【００５６】
また、本実施形態では変調方式をＰＳＫ変調で説明したが、他の変調方式、ＡＳＫ、ＱＰＳＫ等でも同様に使用できる。
【００５７】
【発明の効果】
本発明によれば、限られた周波数領域で多くのチャンネルを確保することが可能である。
【００５８】
チャンネル間での干渉が少ない無線装置の提供が可能となる。
【図面の簡単な説明】
【図１】従来の周波数分割多重方式によるチャンネル分割例
【図２】本発明の第一実施形態である無線装置における周波数分割方法及び無線装置の周波数分割
【図３】本発明の第一実施形態である無線装置における周波数分割方法及び無線装置の復調部ブロック図
【図４】本発明の第二実施形態である無線装置における周波数分割方法及び無線装置の復調部ブロック図
【図５】本発明の第三実施形態である無線装置における周波数分割方法及び無線装置の周波数分割
【図６】本発明の第四実施形態である無線装置における周波数分割方法及び無線装置の周波数分割
【符号の説明】
１１    チャンネル１領域
１２    チャンネル２領域
１３    チャンネル３領域
１４    チャンネル４領域
２１    ＣＨ１領域
２２    ＣＨ２領域
２３    ＣＨ１変調周波数
２４    ＣＨ２変調周波数
２５    ＣＨ１復調周波数
２６    ＣＨ２復調周波数
３１    信号入力
３２    帯域通過フィルタ
３３    復調部
３４    反転部
３５    復調基準信号発生部
３６    制御部
３７    ＣＨ情報入力
３８    信号出力
４１    信号入力
４２    帯域通過フィルタ
４３    復調部
４４    反転部
４５    ローカル発振部
４６    制御部
４７    ＣＨ情報入力
４８    信号出力
４９    周波数ダウンコンバータ
５１    ＣＨ１領域
５２    ＣＨ２領域
５３    ＣＨ１変調周波数／ＣＨ２復調周波数
５４    ＣＨ２変調周波数／ＣＨ１復調周波数
６１    ＣＨ１領域
６２    ＣＨ２領域
６３    ＣＨ３領域
６４    ＣＨ４領域
６５    ＣＨ１変調周波数／ＣＨ２復調周波数
６６    ＣＨ２変調周波数
６７    ＣＨ３変調周波数
６８    ＣＨ４変調周波数／ＣＨ３復調周波数
６９    ＣＨ１復調周波数
７０    ＣＨ４復調周波数
【図１】
2004214955.tif 000003
【図２】
2004214955.tif 000004
【図３】
2004214955.tif 000005
【図４】
2004214955.tif 000006
【図５】
2004214955.tif 000007
【図６】
2004214955.tif 000008